(57)【要約】【課題】災害に伴う電気火災の防止に関する電源遮断システムにおいて、環境情報を検出するセンサユニットを容易に設置・運用すること。【解決手段】一方側が系統電源に接続され、n個（n：任意の整数）の電源供給口を有することで、他方側に電気機器を接続する機能を備え、環境情報を検出するセンサと上記センサにより検出された環境情報に基づいて所定の信号を生成し、生成した上記所定の信号を、電気機器に供給される電源を通電又は遮断するコネクタに送信する信号送信部を備える。【選択図】図２
0003139073.tif 000002
【実用新案登録請求の範囲】
【請求項１】
一方側が系統電源に接続され、n個（n：任意の整数）の電源供給口を有することで、他方側に電気機器を接続する機能を備え、環境情報を検出するセンサと上記センサにより検出された環境情報に基づいて所定の信号を生成し、生成した上記所定の信号を、電気機器に供給される電源を通電又は遮断するコネクタに送信する信号送信部を備えたセンサユニット。
【請求項２】
請求項１に記載のセンサユニットにおいて、建造物の任意の場所に設置され、上記建造物のゆれを感知する振動センサを備え、検知した上記建造物の振動が所定値以上であった場合に検知信号を生成し、電気機器に供給される電源を通電又は遮断するコネクタに上記検知信号を信号送信部から送信する機能を備えることを特徴とするセンサユニット。
【請求項３】
請求項１または請求項２に記載のセンサユニットにおいて、建造物の任意の場所に設置され、温度又は／及び煙を検出する温度・煙センサであって、検出した温度又は／及び煙が所定値以上であった場合に検知信号を生成し、電気機器に供給される電源を通電又は遮断するコネクタに上記検知信号を信号送信部から送信する機能を備えることを特徴とするセンサユニット。
【請求項４】
請求項１に記載のセンサユニットにおいて、電源部が電池であることを特徴とするセンサユニット。
【請求項５】
請求項１に記載のセンサユニットにおいて、電源部が系統電源に接続されることを特徴とするセンサユニット。
【考案の詳細な説明】
【技術分野】
【０００１】
本考案は、災害に伴う電気火災の防止に関する電源遮断システムにおいて、環境情報を検出するセンサユニットに関するものである。
【背景技術】
【０００２】
地震の発生により、発展的に住宅等が火災に見舞われるケースがある。この火災の発生（二次的災害）を防ぐことが、災害を拡大させないためにも重要である。そのため、地震の揺れをセンサユニットにより感知し、一方側が系統電源に接続され、他方側が電気機器に接続されたコネクタの通電／遮断を制御するシステムが提案されている。センサユニットにはセンサ部と信号送信部が備えられており、センサによって得られる環境情報を信号送信部が有線／無線の通信手段を用いてコネクタを制御する。
【０００３】
しかしながら、センサユニットを設置するには電気工事を行う必要があり、一般人が行うには難しく、施工業者が行う必要があるため、設置コストがかかり、これにより電源遮断システムの普及の障害となっていた。
【０００４】
また、住宅の壁等に設置されているコンセント形状の電源供給口に設置するタイプのものについても、センサユニットを設置することで電源供給口を占有してしまうため、すでに設置されている電気機器の設置場所に影響を与えてしまう可能性がある。そのため、センサユニットの設置場所を限定してしまう結果となり、電源遮断システムの普及の障害となっていた。
【考案の開示】
【考案が解決しようとする課題】
【０００５】
電源遮断システムを普及させるためには、環境情報を検出するセンサユニットを容易に設置・運用する必要がある。
【０００６】
本考案は、提案されているセンサユニットの機能（センサ、通信機能）に加えて、一方側が系統電源に接続され、n個（n：任意の整数）の電源供給口を有することで、他方側に電気機器を接続する機能を備えることとした。
【課題を解決するための手段】
【０００７】
本考案は、一方側が系統電源に接続され、n個（n：任意の整数）の電源供給口を有することで、他方側に電気機器を接続する機能を備え、環境情報を検出するセンサと上記センサにより検出された環境情報に基づいて所定の信号を生成し、生成した上記所定の信号を、電気機器に供給される電源を通電又は遮断するコネクタに送信する信号送信部を備えることを特徴とする。
【０００８】
好適には、建造物の任意の場所に固定され、上記建造物の震度を感知する振動センサを備え、検知した上記建造物の振動が所定値以上であった場合に検知信号を生成し、電気機器に供給される電源を通電又は遮断するコネクタに上記検知信号を信号送信部から送信する機能を備えることを特徴とする。
【０００９】
また好適には、建造物の任意の場所に固定され、温度又は／及び煙を検出する温度・煙センサであって、検出した温度又は／及び煙が所定値以上であった場合に検知信号を生成し、電気機器に供給される電源を通電又は遮断するコネクタに上記検知信号を信号送信部から送信する機能を備えることを特徴とする。
【００１０】
また好適には、電源部が電池であることを特徴とする。
【００１１】
また好適には、電源部が系統電源に接続されることを特徴とする。
【考案の効果】
【００１２】
本考案に関わるセンサユニットを用いれば、住宅の壁等に設置されているコンセント形状の電源供給口に差し込むだけで設置可能であるため、電気工事を行う必要がない。また一方側が系統電源に接続され、n個（n：任意の整数）の電源供給口を有することで、他方側に電気機器を接続する機能を備えているため、電源供給口を占有せずに、すでに設置されている電気機器の設置場所に影響を与えることなく設置可能である。これらの特徴から、本考案に関わるセンサユニットを用いることで、電源遮断システムを容易に設置・運用することが可能である。
【００１３】
さらに、電源部を電池と系統電源の2系統を備えることにより、何らかの原因によりセンサユニットの系統電源からの電源供給が止まっても動作し続けることが可能である。
【考案を実施するための最良の形態】
【００１４】
以下、本考案に関わる実施例を図に基づいて説明する。
【００１５】
図1は、本考案のセンサユニットを導入した電源遮断システムの構成を示すブロック図である。
【００１６】
系統電源１接続されたセンサユニット１１は、内部に備えたセンサ部および信号送信部により環境情報からコネクタ２１を制御する。センサにはゆれを感知する振動センサと温度・煙を検出する温度・煙センサを備えており、それぞれの環境情報がある所定値以上であった場合にコネクタ２１に所定の信号を送信することによって、コネクタ２１に接続されている電気機器２２への電源の通電／遮断を制御する。
【００１７】
コネクタ２１に接続されている電気機器２２は電熱変換機能を有する、災害時に転倒して火災の原因となりえる機器である。たとえば、電気ヒータや水槽内を暖める水槽ヒータ、光源に白熱電球を用いた電気スタンド等である。
【００１８】
このとき、センサユニット１１は一方側が系統電源に接続され、他方側を電気機器に接続する機能を備えているため、電源供給口を占有することがなく、図1に示したように、電気機器１２へ電源供給を行うことが可能である。
【００１９】
センサユニット１１は、例えば通常生活の生活振動が伝わりにくく、誤って衝突してしまわないように天井付近のエアコン用の電源供給口に取り付けることが好ましい。
【００２０】
図2は、本考案のセンサユニットの概観のイメージ図と、本考案のセンサユニットの構成を示すブロック図である。
【００２１】
本考案のセンサユニットは、例えば三口コンセントタップのような形状をしており、内部に電源供給部２０１、センサ部２０２、信号送信部２０３を備えている。電源供給部２０１は内部電池電源と外部系統電源を有しており、何らかの原因によりセンサユニットの系統電源からの電源供給が止まっても動作し続けることが可能である。また、センサ部２０２で得た環境情報を信号送信部２０３に送り、有線／無線の通信手段を用いてコネクタの制御を行う。
【００２２】
図２に示したセンサユニットの形状１００からわかるように、一方側に系統電源を接続し、他方側に電気機器を接続する電源供給口を有している。これにより、電源供給口を占有せずに、すでに設置されている電気機器の設置場所に影響を与えることなく設置可能である。また、図2に示した実施例では電源供給口は1つであるが、本考案では任意個の電源供給口を有するセンサユニットを対象としている。
【００２３】
なお、本考案は、図面を参照して説明した上述の実施例に限定されるものではなく、添付の請求の範囲及びその主旨を逸脱することなく、様々な変更、置換又はその同等のものを行うことが可能である。
【図面の簡単な説明】
【００２４】
【図１】本考案のセンサユニットを導入した電源遮断システムの構成を示すブロック図である。
【図２】本考案のセンサユニットの概観のイメージ図と、本考案のセンサユニットの構成を示すブロック図である。
【図１】
0003139073.tif 000003
【図２】
0003139073.tif 000004